(57)【特許請求の範囲】
【請求項１】
内容物を保持する本体部と、
前記本体部の上部に位置する縁部と、を含むコップであり、
前記縁部には、
口をつける飲み部と
前記口を飲み部につけた時に鼻に最も近づく鼻部と
前記飲み部と前記鼻部との間の側部とがあり、
前記コップの底面から前記飲み部までの第１高さが、前記コップの底面から前記鼻部までの第２高さより高く、前記コップの前記底面から前記側部までの第３高さが、前記第１高さと前記第２高さとの間であるコップであり、
さらに、前記縁部上に蓋があり、前記蓋には箸を置く突起があり、
前記突起は、四角柱状で中央が凹んでいて、前記飲み部より前記鼻部側に位置し、
前記飲み部と前記鼻部とを結ぶ線と、前記四角柱状の突起の長手方向とが、垂直であるコップ。
【請求項２】
前記突起として、第１突起と第２突起とがあり、
前記蓋の表面に第１突起があり、前記蓋の裏面に第２突起がある請求項１に記載のコップ。
【請求項３】
前記突起として、さらに、第３突起と第４突起とがあり、
前記蓋の表面に第３突起、裏面に４突起があり、
前記第３突起と前記第４突起とは、四角柱状で中央が凹んでいて、前記鼻部より飲み部側に位置し、前記飲み部と前記鼻部とを結ぶ線と、前記第３突起と前記４突起の四角柱状の突起の長手方向が、それぞれ、垂直である請求項２記載のコップ。
【請求項４】
前記第１突起と前記第３突起の高さは異なり、
前記第２突起と前記第４突起の高さは異なる請求項３記載のコップ。
【請求項５】
前記第２突起と第３突起の高さは同じであり、
前記第１突起と第４突起の高さは同じである請求項４記載のコップ。
【請求項６】
前記蓋の裏面に第３突起、第４突起があり、
前記第４突起は、四角柱状で中央が凹んでいて、前記鼻部より飲み部側に位置し、前記飲み部と前記鼻部側とを結ぶ線に、前記第４突起の四角柱状の突起の長手方向が垂直であり、
前記第３突起は、前記蓋の鼻部側の縁部を、折り曲げ、前記第３突起としている請求項１記載のコップ。
【請求項７】
前記突起は、前記蓋の一方の面にある第５突起であり、
他方の面には、前記蓋の外周形状に相似形状である外周形状をもつ第６突起があり、前記第６突起は、中央が凹部であり、箸が置ける請求項１記載のコップ。
【請求項８】
内容物を保持する本体部と、
前記本体部の上部に位置する縁部と、を含むコップであり、
前記縁部には、
口をつける飲み部と
前記口を飲み部につけた時に鼻に最も近づく鼻部と
前記飲み部と前記鼻部との間の側部とがあり、
前記コップの底面から前記飲み部までの第１高さが、前記コップの底面から前記鼻部までの第２高さより高く、前記コップの前記底面から前記側部までの第３高さが、前記第１高さと前記第２高さとの間であるコップであり、
さらに、前記縁部上に蓋があり、
前記蓋は、前記コップの内側へ凹部状に湾曲しており、
前記蓋において、前記コップの外側の縁で箸が置け、
前記蓋において、前記コップの内側の面には、Ｖ字、ハの字、松葉状、または、前記蓋の外周形状に相似形状のいずれか１つの突起があり、前記突起を利用して前記蓋を手で持ちやすい、コップ。
【請求項９】
内容物を保持する本体部と、
前記本体部の上部に位置する縁部と、を含むコップであり、
前記縁部には、
口をつける飲み部と
前記口を飲み部につけた時に鼻に最も近づく鼻部と
前記飲み部と前記鼻部との間の側部とがあり、
前記コップの底面から前記飲み部までの第１高さが、前記コップの底面から前記鼻部までの第２高さより高く、前記コップの前記底面から前記側部までの第３高さが、前記第１高さと前記第２高さとの間であるコップであり、
さらに、前記縁部上に蓋があり、
前記蓋の形状は、前記コップの外側へ凸部状に湾曲しており、
前記蓋において、前記コップの内側の縁で箸が置け、
前記蓋において、前記コップの外側の面には、Ｖ字、ハの字、松葉状、または、前記蓋の外周形状に相似形状のいずれか１つの突起であり、前記突起を利用して前記蓋を手で持ちやすい、コップ。
【発明の詳細な説明】
【技術分野】
【０００１】
本発明は、各種コップに関する
コップの中のものを飲み易く、特に、誤嚥を軽減するのに役立つ。さらに、箸置、蓋、等設けて、食事時に食べ溢しを防ぐ、手の平の握力を助けて持ち易くなったコップに関する。
【背景技術】
【０００２】
図１０で、従来のコップ１０１の使用状況を説明する。人１００は、コップ１０１の中のものを飲む時、コップ１０１に鼻１０２があたるので、コップ１０１とともに、頭を傾ける必要がある。
高齢者の方は、加齢に伴い骨粗鬆症などによる背骨の圧迫骨折や背筋力の低下のために背中が丸くなり、顎を上げて飲む動作が難しい。無理な姿勢での飲食は、口の中から食道を通って胃に送り込む嚥下（えんげ）機能が低下する。高齢者にとって、食物が気管から肺の方へ浸入して起こる誤嚥性肺炎の一因となっている。現在、肺炎は日本人の死因の第４  位であり、６５  歳以上では第３  位である。また、７０  歳以上では肺炎のうち７０％が誤嚥性肺炎である。
ここで、誤嚥とは、本来は食道を通って胃の中に入らなければならない食べ物や異物を、誤って気管内に飲み込んでしまうことをいう。
特許文献１、２には、コップの内部に傾斜を設けることで、傾けなくとも、コップの中身を飲めることが開示されている。
【先行技術文献】
【特許文献】
【０００３】
【特許文献１】特開平１０−３０９２２７号公報
【特許文献２】実開昭６１−２０４５７８号公報
【発明の概要】
【発明が解決しようとする課題】
【０００４】
しかし、上記文献のコップでは、内部を傾斜させているため、内容物の体積が減る。そこで、内容物の空間を確保し、中のものを飲めて誤嚥を軽減するコップの実現を課題とする。
【課題を解決するための手段】
【０００５】
上記課題を解決するために、コップ本体と、前記コップ本体上部に位置する縁部と、を含むコップであり、前記縁部には、口をつける飲み口部と、前記口を飲み口部につけた時に鼻に最も近づく鼻部と、前記飲み口部と前記鼻部との間の側部とがあり、前記コップの底面から前記飲み口部までの第１高さが、前記コップの底面から前記鼻部までの第２高さより高く、前記コップの底面から前記側部までの第３高さが、前記第１と第２との間であるコップを用いる。
【発明の効果】
【０００６】
本願発明は、誤嚥を軽減するのに役立つコップである。本願発明のコップでは、縁がややハート型状で、外観において、コップの縁がスムーズに変化しているので、顎を上げる必要がなく、コップの中のものをすべて飲み易くなった。
さらに、取手に指を挿入することで、手の平の握力を助けて、コップも持ち易くなった。
【図面の簡単な説明】
【０００７】
【図１】（ａ）〜（ｂ）実施の形態１のコップの斜視図
【図２】（ａ）実施の形態２のコップの平面図、（ｂ）（ａ）の図のＢＢ断面図、（ｃ）（ａ）の図のＡＡ断面図
【図３】（ａ）実施の形態３の斜視図、（ｂ）実施の形態３の蓋の平面図、（ｃ）実施の形態３の蓋の側面図、（ｄ）〜（ｅ）実施の形態３の蓋の底面図
【図４】（ａ）実施の形態３の蓋の別の平面図、（ｂ）〜（ｃ）（ａ）のＡＡ断面図
【図５】実施の形態３のコップの蓋の使用状態を説明する図
【図６】（ａ）から（ｃ）実施の形態３のコップの蓋の変形例を説明する図
【図７】（ａ）から（ｃ）実施の形態３のコップの蓋の変形例を説明する図
【図８】（ａ）実施の形態４のコップの断面図、（ｂ）実施の形態３の蓋の平面図、（ｃ）実施の形態４の変形例のコップの断面図、（ｄ）実施の形態４の変形例の蓋の平面図、
【図９】実施の形態５のコップの斜視図
【図１０】従来のコップの使用状態を示す図
【発明を実施するための形態】
【０００８】
（実施の形態１）
＜構成＞
図１（ａ）、図１（ｂ）に実施の形態１のコップ１０の斜視図を示す。図１（ａ）は、斜め上方、図１（ｂ）は斜め少し上方からの斜視図である。コップ１０は、縁部１４と、コップ本体１５とからなる。縁部１４は、側部１３と、飲み部１１と、鼻部１２とからなる。
実施の形態１のコップ１０の特徴は、その縁、上面の縁部１４にある。まず、縁部１４が底面に対して、水平でない。コップ１０の底面からの縁部１４までの高さが、その縁部１４の場所で異なる。
【０００９】
縁部１４は、鼻部１２、２つの側部１３、飲み部１１とからなる。コップ１０の底面からの高さは、鼻部１２が低く、側部１３、飲み部１１の順に、なめらかに高くなっている（単調になっている）。好ましくは一定の傾きである。少なくとも、鼻部１２は、飲み部１１より、１ｃｍ以上低くなっている。縁部１４は、全体になだらかな変化をしている。鼻部１２のみへこむような構造でない。縁部１４は全体的にコップ本体１５より外部へ広がっている。飲みやすく、鼻に  が当たりにくくなっている。
【００１０】
鼻部１２は、人がコップ１０の中のものを飲む時に、人の鼻の部分に近づくところである。実施の形態１では、この部分のコップ１０の高さが浅く設定されている。結果、コップ１０を傾けやすい。コップ１０の外周から凹んでいる。
【００１１】
２つの側部１３は、鼻部１２と飲み部１１とはつなぐ部分で、なめらかにつなぐことで、顔に近づき、コップ１０の内容物の蒸気などを外部へ広げない。外観的には違和感がない。
飲み部１１は、人の口に付ける部分である。コップ本体１５で一番高さが高いところである。コップ本体１５から外部へ凸部として付け出している。
人は、飲む部１１に口をつけて中の物を飲む、飲み部１１から鼻部１２は凹んでいるので、コップ１０を傾けることができる。
【００１２】
（実施の形態２）
実施の形態２の特徴はコップ１０の内部の構造が、傾斜していることにある。以下記載事項以外は実施の形態１と同じである。
図２（ａ）は、平面図を示す。図２（ｂ）、図２（ｃ）に実施の形態２のコップ１０の断面を示す。図２（ｂ）は、図２（ａ）のＡＡ断面、図２（ｃ）は、図２（ａ）のＢＢ断面ある。
【００１３】
飲み口１１と鼻部１２とを結ぶ方向のＢＢ断面の内部第１傾斜２１は、それと垂直方向のＡＡ断面の第２傾斜２２より、傾き（垂直方向となす角度）が大きい。傾斜は、コップ１０の高さの半分のところの傾きで判断できる。なお、第１傾斜２１のうち、飲み口１１側は、鼻部１２側より急な傾斜である。飲み口１１側の傾斜により、コップを傾けなくとも中の飲料が飲むことができる。
なお、第１傾斜部２１と第２傾斜部２２との境界２３（点線）を図２（ａ）に示している。これは例示であり、境界を滑らかにすることもよい。また、コップ底の平坦なところは、ＡＡ方向がＢＢ方向より長い。
【００１４】
第１傾斜２１の鉛直方向に対する角度は、３０度より大きく４５度まで、第２傾斜２２の鉛直方向に対する角度は、１０度から３０度まである。ただし、コップ１０の形状に合わせて角度範囲は変わる。
【００１５】
２種類の傾斜を有することで、１種類の傾斜を設けた場合より、コップ１０内部を洗浄しやすい、かつ、内容容積が大きくできる。
コップ１０の内部に傾斜を設けたことで、頭を傾けずに内容物を飲むことができる。
【００１６】
（実施の形３）
実施の形態３の特徴はコップ１０の蓋３０である。
図３（ａ）に蓋をコップした斜視図を示す。図３（ｂ）は蓋の平面図、図３（ｃ）は、蓋の側面図、図３（ｄ）、（ｅ）は、蓋の底面図を示す。
【００１７】
実施の形態３では、実施の形態１または２のコップ１０に蓋３０を、さらに、設けた。蓋３０には、両面に突起、第１突起３１、第２突起３２がある。
第１突起３２は、蓋３０がコップ１０の上に位置する場合に、箸３５などを置くための突起である。突起はその中央部が凹み、箸などが置きやすい。突起は、飲み部１０より鼻部１１の側にある。箸３５などをより水平における。
第２突起３２は、蓋３０がコップ１０の上に位置する場合に、コップ１０の縁部と組み合う突起である。位置を定める突起である。
【００１８】
第１突起３２、第２突起３３とも、四角柱形状であるが、中央が凹み、かつ、コップ１０の外周に沿った形状である。箸３５などを置きやすい。
【００１９】
図３（ｅ）に示すように、蓋本体３３は、湾曲していてもよい。以下図５で説明する使用時に湾曲していると持ちやすい。
【００２０】
図４（ａ）から図４（ｃ）に別の例を示す。図４（ａ）は、蓋３０の平面図である。図４（ｂ）、図４（ｃ）は、蓋３０のＡＡ断面図である。第１突起３１、第２突起３２を複数設けている。テーブルなどから、蓋本体３３が完全に浮き、安定して蓋３０がテーブルなどに置くことができる。また、図３（ｂ）のように第１突起３１間、第２突起３２間でその高さを変えることで、蓋３０上に置く箸３５などをテーブルなどに平行置くことができる。
【００２１】
図５に蓋３０の別の使用方法を説明する。図５では、人１００が食事中に食べ物をこぼすのを、この蓋３０で受けるものである。蓋３０で手でなく、食べ物の落下を防止する。
【００２２】
図６（ａ）から図６（ｃ）は、実施の形態３の変形例である。相違点は、蓋３０の周囲に曲がり縁部４１があることである。曲がり縁部４１は、蓋３０の縁を約９０度曲げた形状のものである。
図６（ａ）は側面図、図６（ｂ）は正面図、図６（ｃ）は、底面図である。
蓋３０の一方の面の第２突起３２の代わりに、蓋３０の外周に曲がり縁部４１を設けている。図示しないが、蓋３０の両面の第２突起３２をなくし、両面の縁部に曲がり縁部４１を設けてもよい。この場合は、両面の曲げ縁部４１の位置を変えてもよいし、同じ場所に形成してもよい。
この曲がり縁部４１を利用して、箸を置たり、蓋３０を机などに置くことができる。
【００２３】
図７は、実施の形態３の別の変形例である。図７（ａ）は側面図、図７（ｂ）は正面図、図７（ｃ）は、底面図である。
第１突起３１をハート型にしている、ハート型でなくとも、蓋３０の形状に相似形状でもよい。
外観上、相似形状であると、違和感がない。製法上も作製しやすい。機能は上記と変化ないが、外観上、違和感なく、蓋３０と一体性がある。
（実施の形態４）
図８（ａ）に実施の形態４の蓋３０をコップに被せた状態の断面図を示す。上方が凹部となっている。凹部となっているので、コップの淵の傾斜に合い、密着しやすい。蓋３０の端部を利用して箸がおける。
図８（ｂ）は、図８（ａ）の蓋３０を机などに置いた時の平面図である。第一突起３１がＶ字である。Ｖ字なくともハの字、松葉状でもよい。この部分を指に挟んで、蓋３０を手で持つ。蓋３０をしっかりもつことができる。第一突起３１を利用して箸がおける。
【００２４】
図８（ｃ）に実施の形態４の別の形態の蓋３０をコップに被せた状態の断面図を示す。違いを説明する。上方が凸部となっている。凸部となっているので、第１突起３１を掴みやすい。第１突起３１を利用して箸がおける。
図８（ｄ）は、図８（ｃ）の蓋３０を机などに置いた時の平面図である。第１突起３１がテーブル側にある。箸は、蓋３０の端部を利用しておける。図５で示したように、食べ物を受ける場合の面は上面であり、食べ溢しを防ぐのに役立つ。
なお、実施の形態１から４は、それぞれ組み合わせできる。３つの組み合わせもできる。
【００２５】
（実施の形態５）
図９に実施の形態５のコップ１０の斜視図を示す。図１（ｂ）に相当する図である。相違点は、鼻部１２の下部に取手部９１を有することである。取手部９１を持つのでない。
取手部９１の中に、中指９６、薬指９６の２本の指を挿入することで、小指９６の上に、取手部９１の下側が、小指９６の上に載せられ、取手部９１上側に、人指し指９６を添わせて、取手部９１を４本の指９６で挟み、親指９６を添わして、手の平の握力を助けて、コップを持ち易くした。コップ１０をしっかりつかむことができる。
さらに、コップ１０の下部に土台部９２を有する。土台部９２は、コップ１０の中央の高さの断面より広い面積を有する。コップ１０の倒れを防止できる。
【産業上の利用可能性】
【００２６】
本願発明のコップは、コップ一般に利用である。使い捨ての紙、フラスチック性コップにも利用できる。本願発明のコップは、バリアフリー、高齢者、幼児、介護施設ヘッドレストを必要とする者  弱握力者にも利用できる。
【符号の説明】
【００２７】
１０  コップ、１１  飲み部、１２  鼻部、１３  側部、１４  縁部、１５  コップ本体、２１  第１傾斜部
２２  第２傾斜部、２３  境界、３０  蓋、３１  第１突起、３２  第２突起、３３  蓋本体、３５  箸
４１  曲がり縁部、９６  指、１００  人、１０１  コップ、１０２  鼻
【要約】
【課題】高齢者や病気の人、負傷をおった人で、頭をほとんど傾けることができない人がいる。コップの中のものを十分に飲めない。顎を上げることなくコップの中のものを、すべて飲み易くすし、誤嚥を軽減するコップを実現する。さらに、年寄や幼児、要介護者、握力を助けて持ち易いコップを実現する。
【解決するための手段】コップ本体と、前記コップ本体上部に位置する縁部と、を含むコップであり、前記縁部には、口をつける飲み口部と、前記口を飲み口部につけた時に鼻に最も近づく鼻部と、
前記飲み口部と前記鼻部との間の側部とがあり、前記コップの底面から前記飲み口部までの第１高さが、前記コップの底面から前記鼻部までの第２高さより高く、前記コップの底面から前記側部までの第３高さが、前記第１と第２との間であるコップを用いる。
【選択図】図９【図１】
0005748248.tif 000002
【図２】
0005748248.tif 000003
【図３】
0005748248.tif 000004
【図４】
0005748248.tif 000005
【図５】
0005748248.tif 000006
【図６】
0005748248.tif 000007
【図７】
0005748248.tif 000008
【図８】
0005748248.tif 000009
【図９】
0005748248.tif 000010
【図１０】
0005748248.tif 000011